(57)【要約】最新技術のビデオ・レコーダは、休止機能を具備する。この機能は、再生及び録画モードにおいて用いられ得る。録画モードにおいて用いられる場合、何のデータも記録されない。このことは、オーディオ及び／又はビデオのみが記録される場合には問題がない。しかし、双方向性データのような他のデータも同様に記録される場合、このことは、アプリケーションの記録が中断され、このアプリケーションが、オーディオ及び／又はビデオの記録を再開された後に記録されるビデオ小部分において呼び出しされる場合に、問題を生じさせ得る。本発明は、以下の目的を有する。記録機能が休止機能を用いて一時停止される場合に、オーディオ及び／又はビデオの記録のみが一時停止され、他のデータの記録は継続される。
2006511016.tif 000002
【特許請求の範囲】
【請求項１】
ソースから受信されたデータのストリームをメモリに記憶する方法であって、前記データのストリームは、オーディオ／ビジュアル・データ及び他のデータのストリームを有し、
（ａ）前記データのストリームをメモリに記憶するステップと、
（ｂ）休止命令を受信するステップと、
を有する方法において、当該方法が、更に、
（ｃ）前記休止命令の受信があり次第前記オーディオ／ビジュアル・データのストリームの記憶を休止するステップと、
（ｄ）前記他のデータの記憶を継続するステップと、
を有することを特徴とする方法。
【請求項２】
請求項１に記載の方法であって、前記他のデータが、前記オーディオ／ビジュアル・データのストリームと多重化され、当該方法が、更に、前記データのストリームを分析するステップを有する、方法。
【請求項３】
請求項２に記載の方法であって、前記ストリームにおける該データが、オーディオ／ビジュアル・データ及び他のデータのストリームに分離され、前記オーディオ／ビジュアル・データが、前記他のデータから別れて前記メモリに記憶される、方法。
【請求項４】
請求項１に記載の方法であって、前記他のデータが、前記オーディオ／ビジュアル・データのストリームにおけるトリガ点を入力として用いる双方向性アプリケーションを有し、当該方法が、更に、
（ａ）休止解除命令を受信するステップと、
（ｂ）前記休止解除命令の受信があり次第前記オーディオ／ビジュアル・データのストリームの記録を再開するステップと、
（ｃ）前記オーディオ／ビジュアル・データのストリームにおいて存在し、前記オーディオ／ビジュアル・データのストリームの記憶が休止される間に受信される少なくとも１つのトリガ点を、前記オーディオ／ビジュアル・データの記憶を再開した後に記憶され得る前記オーディオ／ビジュアル・データのストリームにおける点へ移すステップと、
を有する、方法。
【請求項５】
請求項１に記載の方法であって、前記他のデータが、前記オーディオ／ビジュアル・データのストリームの再生において実行される双方向性アプリケーションを有し、当該方法が、更に、前記メモリにおいて記憶される前記オーディオ／ビジュアル・データのストリームの再生において実行されないアプリケーションを削除するステップを有する、方法。
【請求項６】
請求項１に記載の方法であって、前記データのストリームが、ＤＶＢ転送ストリームである、方法。
【請求項７】
請求項１に記載の方法であって、前記他のデータが、ＭＨＰ規格に従うアプリケーションを有する、方法。
【請求項８】
請求項１に記載の方法であって、前記休止命令が、請求項１に記載の方法を実行するように着想される装置によって有される、処理ユニットによって生成される、方法。
【請求項９】
請求項１に記載の方法であって、
（ａ）前記他のデータが、冗長な情報を有し、
（ｂ）前記オーディオ／ビジュアル・データの記憶を休止する間に、前記他のデータを記憶する際に、前記他のデータにおける前記冗長な情報が、除去される、
方法。
【請求項１０】
ソースから受信されたデータのストリームをメモリに記憶する装置であって、前記データのストリームが、オーディオ／ビジュアル・データ及び他のデータのストリームを有し、当該装置が、
（ａ）前記データのストリームを記憶するメモリを受信する手段と、
（ｂ）休止命令を受信する手段と、
（ｃ）中央処理ユニットと、
を有する装置において、前記中央処理ユニットが、
（ｄ）休止命令の受信があり次第前記オーディオ／ビジュアル・データのストリームを記憶する過程を休止し、
（ｅ）前記オーディオ／ビジュアル・データのストリームを記憶する前記過程が休止される間、前記他のデータの記憶を継続する、
ように着想されることを特徴とする、装置。
【請求項１１】
プログラムされる計算機であって、当該計算機が、請求項１に記載の方法を実行するようにプログラムされることを特徴とする、プログラムされた計算機。
【請求項１２】
計算機をプログラムし、前記計算機に請求項１に記載の方法を実行することを可能にさせる、計算機プログラム製品。
【発明の詳細な説明】
【技術分野】
【０００１】
本発明は、ソースから受信されるデータのストリームをメモリに記憶する方法に関し、前記データのストリームは、オーディオ／ビジュアル・データ及び他のデータのストリームを有し、当該方法は、前記データのストリームをメモリに記憶するステップと、休止命令を受信するステップとを有する。
【０００２】
本発明は、更に、ソースから受信されるデータのストリームをメモリに記憶する装置に関し、前記データのストリームは、オーディオ／ビジュアル・データ及び他のデータのストリームを有し、当該装置は、前記データのストリームを記憶するメモリを受信する手段と、休止命令を受信する手段と、中央処理ユニットとを有する。
【０００３】
また本発明は、プログラムされた計算機にも関する。
【背景技術】
【０００４】
斯様な方法及び装置の実施例は、米国特許第ＵＳ６４０４９７７号から既知である。この文書は、自動休止機能を有するビデオ・レコーダを開示する。前記自動休止機能は、コマーシャルの検出において起動される。休止命令を受信すると、全ての入力データの記録が、停止される。斯様にして、コマーシャル休止を有さないビデオ・データのストリームが、記録される。
【０００５】
ビデオ・データのみが受信され記録される場合、このことは、全く問題にはならない。しかし、付加的なデータ（マルチメディア・ホーム・プラットフォーム・プロトコルを具備し得る双方向性アプリケーションに関するデータのような他のデータ）が、ビデオ・データと共に受信及び記録される場合、このことは、問題を引き起こし得る。
【０００６】
例えば、コマーシャル休止において、コマーシャル休止があり次第実行が合図されるアプリケーションのような、アプリケーションに関するデータが、放送され得る。（全ての入力データの記録が停止されたので、）前記データが記録されない場合、このことは、記録されたデータの再生において、合図されたアプリケーションに関するデータが存在しないようであるので、問題を生じさせる。
【発明の開示】
【発明が解決しようとする課題】
【０００７】
本発明の目的は、記憶されたオーディオ／ビジュアル・データの再生において実行するように起動されるアプリケーションの全てのデータが、前記オーディオ／ビジュアル・データの記録において記憶されることを保証することである。
【課題を解決するための手段】
【０００８】
この目的は、本発明に従う方法を用いて達成され、当該方法が、更に、休止命令の受信があり次第オーディオ／ビジュアル・データのストリームの記憶を休止するステップと、他のデータの記憶を継続するステップとを有することを特徴とする。
【０００９】
他のデータの記録を継続することによって、記録されたデータの再生において実行されるように起動される（又は合図される）アプリケーションの全てのデータが、記憶されることが保証される。
【００１０】
本発明に従う方法の実施例において、他のデータは、オーディオ／ビジュアル・データのストリームにおけるトリガ点を入力として用いる双方向性アプリケーションを有し、前記方法は、更に、休止解除命令を受信するステップと、前記休止解除命令の受信があり次第オーディオ／ビジュアル・データのストリームの記憶を再開するステップと、オーディオ／ビジュアル・データのストリームにおいて存在しオーディオ／ビジュアル・データのストリームの記憶が休止される間に受信される、少なくとも１つのトリガ点を、オーディオ／ビジュアル・データのストリームの記憶を再開した後に記憶され得るオーディオ／ビジュアル・データのストリームにおける点へ移すステップとを有する。
【００１１】
テレビ放送番組のようなオーディオ／ビジュアル・データの受信されたストリームの再生において、複合型アプリケーションが、実行され得る。いくつかの異なるアプリケーションの出力は、更なるアプリケーションに関する入力として用いられ得る。オーディオ／ビジュアル・データのストリームの記憶が、中断される場合、アプリケーションが実行されるように起動される点が、記録されないことが発生し得る。このことは、これらのアプリケーションが、記憶されたデータの再生の際に実行され得ないことを意味する。これらのアプリケーションが、再生において実行される更なるアプリケーション用の入力として必要な出力を作成する場合、このことは、これら更なるアプリケーションの不整合（ｉｎｃｏｎｓｉｓｔｅｎｃｙ）問題を導き得る。
【００１２】
アプリケーションが起動される点をオーディオ／ビジュアル・データにおいて記憶されない位置から記憶される位置へと移すことによって、出力が更なるアプリケーションの実行に関して必要になるアプリケーションが実行される。斯様にして、記憶されたオーディオ／ビジュアル・データに関するアプリケーションの整合性は、保証され、このことは、本発明のこの実施例の大きな有利な点である。
【００１３】
本発明の更なる実施例において、他のデータは、オーディオ／ビジュアル・データのストリームの再生において実行される双方向性アプリケーションを有し、当該方法は、更に、メモリにおいて記憶されるオーディオ／ビジュアル・データのストリームの再生において実行されないアプリケーションを削除するステップを有する。
【００１４】
アプリケーションに関するトリガ点が記録されず、該アプリケーションがこの特定のトリガ点において１度のみ合図されるような場合、該アプリケーションは、記憶されたオーディオ／ビジュアル・データのストリームの再生において合図され得ず、結果として、該アプリケーションは、記憶されたオーディオ／ビジュアル・データの再生において実行され得ない。したがって、アプリケーションの記憶は、何の有用な意味を持たず、該アプリケーションは、削除され得る。
【００１５】
本発明に従う装置は、中央処理ユニットが、休止命令の受信があり次第オーディオ／ビジュアル・データのストリームを記憶する過程を休止すると共に、該オーディオ／ビジュアル・データのストリームの過程が休止される間、他のデータの記憶を継続することを着想されることを特徴とする。
【００１６】
本発明に従うプログラムされた計算機は、該計算機が、請求項１に定義される方法を実施するようにプログラムされることを特徴とする。
【００１７】
本発明のこれら及び他の態様は、図を用いて説明される。
【発明を実施するための最良の形態】
【００１８】
図１は、本発明による装置の実施例としてのビデオ・レコーダ１１０と、テレビ機１５０と、制御装置１６０とを有する民生電子機器システム１００を示す。ビデオ・レコーダ１１０は、信号１７０によって伝達されるオーディオ／ビジュアル・データのストリームに関連するオーディオ／ビジュアル・データ及び双方向性アプリケーションのストリームを記録するように構成される。
【００１９】
この目的のために、ビデオ・レコーダ１１０は、信号１７０を受信する受信器１２０と、デマルチプレクサ１２２と、ビデオ処理器１２４と、ビオデ・レコーダ１１０によって有される成分を制御するマイクロプロセッサ１２６と、記憶装置１２８と、プログラム・コード・メモリ１３０と、使用者命令受信器１３２と、ビデオ・レコーダ１１０によって有される成分を接続する中央バス１３４とを備える。
【００２０】
レシーバ１２０は、テレビ・チャンネルに合わせられると共に、信号１７０からこのテレビ・チャンネルのデータを引き出すように構成される。信号１７０は、ケーブル、地上波、衛星、ブロードバンド・ネットワーク接続又はオーディオ／ビジュアル・データを配信する他のいかなる方法等のいずれの既知の方法によっても受信され得る。信号１７０は、別の民生電子機器装置の出力からも引き出され得る。
【００２１】
好ましい実施例において、信号１７０から引き出されたデータは、ＤＶＢ規格に準拠し、ＭＨＰデータを伝達する。ＤＶＢは、デジタル・ビデオ放送に関する欧州規格であり、ＭＨＰ（マルチメディア・ホーム・プラットフォーム）は、ＤＶＢプラットフォームにおける双方向性アプリケーションに関する規格である。詳細な情報は、ｈｔｔｐ:／／ｗｗｗ．ｄｖｂ．ｏｒｇにおいて閲覧され得る。
【００２２】
当該技術分野のいかなる当業者にとっても明らかであるように、信号１７０から引き出されたデータは、ＤＡＳＥのようなデジタル・ビデオ配信に関する別の規格にも同様に準拠し得る。より更なる実施例において、受信されるデータは、アナログである。この場合、受信器１２０は、アナログ・データをデジタル・データに変換する、アナログ／デジタル変換器を有する。
【００２３】
信号１７０から引き出されると共に、受信器１２０から選択されたデータは、受信されたデータを、オーディオ／ビジュアル・データのストリームと、双方向性アプリケーションに関するデータ、すなわちオーディオ／ビジュアル・データのストリームに関する他のメタ・データとに分離するように構成されるデマルチプレクサへ転送される。本記述の過程において、後者のデータは、双方向性データとして称されるが、本発明は、これには制限されない。
【００２４】
オーディオ／ビジュアル・データのストリームは、テレビ機１５０におけるオーディオ／ビジュアル・データの再生に関して、テレビ機１５０の入力規格に準拠する信号を提供するために、ビデオ処理器１２４によって更に処理され得る。オーディオ／ビジュアル・データのストリームは、使用者入力命令に応じて、後ほどの再生に関して記憶装置１２８にも同様に記憶され得る。
【００２５】
好ましい実施例において、記憶装置１２８は、ハードディスク駆動装置である。しかし、当業者によって認識され得るように、記憶装置１２８は、光ディスク、固体メモリ又は他のいかなる種類の記憶装置でもあり得る。
【００２６】
デマルチプレクサ１２２によって引き出された双方向性データは、マイクロプロセッサ１２６に処理されるか、又は後ほどの処理用に記憶装置１２８に記憶される。双方向性データが処理される場合、出力は、テレビ機１５０による再生に関して、該出力をオーディオ／ビジュアル・データと多重化するビデオ処理器１２４へ送信される。
【００２７】
ビデオ・レコーダ１１０の動作は、マイクロプロセッサによって制御される。このことは、命令を使用者から制御装置１６０を介して受信し次第実行され、該命令は、使用者命令受信器１３２によって受信される。またこのことも、プログラム・コード・メモリ１３０から命令又はプログラム・コードを受信し次第実行される。
【００２８】
制御データ、オーディオ／ビジュアル・データ及び双方向性データは、ビデオ・レコーダ１１０の様々な成分から、中央バス１３４を介して又は成分間における直接のリンクによって流れる。
【００２９】
既知のビデオ・レコーダの動作において、使用者は、例えば、テレビ番組のような、オーディオ／ビジュアル・データのストリームを記憶することを可能にされる。この過程において、内蔵チューナによって選択されるデータは、テープ又はＤＶＤ＋ＲＷのような記憶装置に記憶される。最も簡潔な実施例において、この動作は、ビデオ・レコーダの制御装置における「録画」ボタンを押すことによって開始される。
【００３０】
当該方法をビデオ・レコーダ１１０に直接的に適用する場合、受信器１２０によって受信されるデータが、記憶装置１２８に記憶されるということを意味し得る。斯様にして、多重化されたオーディオ／ビジュアル及び双方向性のデータのストリームが、記憶される。
【００３１】
記録過程において、休止ボタン１６２は、データの記録を一時停止するのに押圧され得る。この過程が一時停止される場合、先行技術に従う方法を用いると、オーディオ／ビジュアル・データと同様に双方向性データの記憶が、一時停止される。これは、双方向性データがオーディオ／ビジュアル・データと多重化されているからである。
【００３２】
しかし、記録過程の一時停止において、記録過程を再開した後に記録されるオーディオ／ビジュアル・データの再生において実行される双方向性アプリケーションによって用いられ得る双方向性データが受信される場合、このことは、該アプリケーションのデータが欠落しているので、問題へと導き得る。
【００３３】
したがって、本発明は、記録過程が一時停止され、オーディオ／ビジュアル・データの記録のみを一時停止する場合、双方向性データ（すなわち、オーディオ／ビジュアル・データ以外のいかなる他のデータ）を記録するステップを保つことを提案する。当然、このことは、受信されたデータが、初めにオーディオ／ビジュアル・データ及び双方向性データに分析される、すなわち、逆多重化される必要があることを示唆する。
【００３４】
本発明に従う方法の好ましい実施例は、図１、図２及び図３を参照にして説明される。図２は、本発明に従う実施例を表すフロー図を示す。図３は、受信されたデータ３００及び記録されたデータ３５０を示し、両方とも、オーディオ／ビジュアル・データ及び双方向性データを有する。
【００３５】
当該過程は、開始点２０２において記録命令を受信することによって開始する。最も簡潔な実施例において、この動作は、制御装置１６０における「録画」ボタンを押圧することによって開始される。当然、記録過程を開始する他の手順は、既知であり、本発明の範囲から逸脱することなく適用され得る。
【００３６】
その後、ステップ２０４の過程において、受信器１２０が合わせられるチャンネルから受信される全てのデータ３００は、記録される、すなわち記憶装置１２８に記憶される。受信されたデータ３００は、受信された双方向性データ３１０及び受信されたオーディオ／ビジュアル・データ３２０から組み立てられる。双方向性データ３１０は、オブジェクト・カルーセルとして群を成され、一方で、オーディオ／ビジュアル・データ３２０は、ストリームとして与えられる。
【００３７】
ステップ２０４の過程において、双方向性データは、記憶された双方向性データ３６０として記憶され、受信されたオーディオ／ビジュアル・データ３２０は、記憶されたオーディオ／ビジュアル・データ３７０として記憶される。
【００３８】
データを記録する間、ビデオ・レコーダは、待機ステップ２０６及び決定ステップ２０８を有する待機ループにおいて入力命令を待機する。受信される命令が休止命令でない場合、当該過程は、前記ループに留まり、待機ステップ２０６へ再び進む。受信される命令が休止命令である場合、フロー図２００は、ステップ２１０の過程に続く。
ステップ２１０の過程において、受信されたオーディオ／ビジュアル・データ３２０の記録は、停止される。図３を参照すると、これは、受信されたオーディオ／ビジュアル・データ３２０における第１マーク３２１によって示される。しかし、双方向性データの記録は、継続される。
【００３９】
ステップ２１０の過程は、後に別の待機ループが続き、この待機ループは、ビデオ・レコーダ１１０が開始点２０２において開始された記録過程を継続する命令を待つ待機ステップ２１２を有すると共に、更に入力命令が確認される決定ステップ２１４を有する。
【００４０】
入力命令が、休止解除命令である場合、フロー図２００によって描かれる過程は、ステップ２１６の過程において、受信されたオーディオ／ビジュアル・データ３２０の記録を再開することによって継続する。受信されたオーディオ／ビジュアル・データ３２０の記録を再開する瞬間は、第２マーク３２２によって示される。
【００４１】
この過程の結果は、図３に示されるように、記憶されたオーディオ／ビジュアル・データ３７０が、第３マーク３７１によって示される不連続性を有することと共に、記憶されたオーディオ／ビジュアル・データ３７０が、受信されたオーディオ／ビジュアル・データ３２０よりも少ないということである。記憶された双方向性データ３６０は、受信された双方向性データ３１０と同じである。記録過程において、受信されたデータのカルーセル性質によって生じられる冗長性は、除去され得るが、本質的には、記憶された双方向性データは、受信された双方向性データと同じ情報を有する。
【００４２】
この方法の使用の有利な点は、以下の説明より明らかになる。受信されたオーディオ／ビジュアル・データは、双方向性アプリケーションの開始に関するトリガ点３２３を有する。このアプリケーションに関するデータは、カルーセル３１２において伝送されるオブジェクトに有され、受信された双方向性データ３１０における他のブロックは、カルーセル又は他のオブジェクトの他の版を示す。
【００４３】
受信されたオーディオ／ビジュアル・データの記録を一時停止するのと共に、受信された双方向性データの記録が同様に一時停止される場合、カルーセル３１２における情報は、完全には記録され得ない。このことは、記憶装置１２８からテレビ番組を再生する場合に問題を引き起こし得る。テレビ機１５０又はビデオ・レコーダ１１０が、トリガ点３２３に遭遇する場合、テレビ機１５０又はビデオ・レコーダ１１０は、データがカルーセル３１２において有されるアプリケーションを実行しようと試みる。しかし、カルーセル３１２が、完全に記録されない場合、このことは、問題を引き起こす。これらの種類の問題は、本発明に従う方法によって解決される。
【００４４】
記録過程は、終端ステップ２１８において停止命令によって終了される。記録過程は、フロー図２００によって描かれる全過程にわたり停止命令で停止され得ることは、当業者にとって明らかであり得る。しかし、明瞭性のためにより、このことは、フロー図２００において示されていない。
【００４５】
本発明の更なる実施例は、図４及び図５を参照にして説明される。
【００４６】
図４は、受信された双方向性データ４１０及び受信されたオーディオ／ビジュアル・データ４２０を有する受信されたデータ４００を示す。受信された双方向性データは、カルーセル４１２を有する。受信されたオーディオ／ビジュアル・データは、データがカルーセル４１２に有されるアプリケーションが開始されるトリガ点４２３を有する。
【００４７】
図４は、更に、記憶された双方向性データ４６０及び記憶されたオーディオ／ビジュアル・データ４７０を有する、記憶されたデータ４５０を示す。記憶されたデータ４５０は、記録過程を第１マーク４２１によって示される点において中止すると共に記録過程を第２マーク４２２によって示される点において再開し、第３マーク４７１によって示される記憶されたオーディオ／ビジュアル・データ４７０における不連続性に至る、受信されたデータ４００の記録ステップの結果である。
【００４８】
休止過程により、トリガ点４２３は、記録されない。このことは、問題なくあり得るが、これらの実行が、トリガ点４２３によって起動されるアプリケーションの実行に依存するので、実行され得る他のアプリケーションの不整合性も引き起こし得る。
【００４９】
したがって、どのような方法にしても、記憶されたデータ４５０の再生においてトリガ点４２３によって起動されるアプリケーションを実行することが望ましい。このことを実現するために、トリガ点４２３は、記録されたオーディオ／ビジュアル・データにおいて移されたトリガ点４７３に移される。好ましくは、移されたトリガ点４７３は、第３マーク４７１によって示される不連続性の後に挿入される。
【００５０】
本発明の更なる実施例において、休止される記録の（すなわち、オーディオ／ビジュアル・データが、記憶されない）部分において実行するように合図されるアプリケーションの実行は、望ましくない。例えば、アプリケーションが、休止解除命令が与えられる点から半時間又は更に時間的に戻った点において実行するように合図される場合、休止解除命令を与えるときに、記録される番組（プログラム）とは別の番組に関わってしまうことがあり得る。使用者にとって、第２番組を視聴中において第１番組に関するアプリケーションを提示されることは、不都合になり得る。
【００５１】
斯様なアプリケーションの実行が望ましくない場合、データもまた、記録される必要はない。図５は、受信された双方向性データ５１０及び受信されたオーディオ／ビジュアル・データ５２０を有する、受信されたデータ５００を示す。受信された双方向性データは、カルーセル５１２を有する。受信されたオーディオ／ビジュアル・データは、データがカルーセル５１２に有されるアプリケーションが開始されるトリガ点５２３を有する。
【００５２】
図５は、更に、記憶された双方向性データ５６０及び記憶されたオーディオ／ビジュアル・データ５７０を有する、記憶されたデータ５５０を示す。記憶されたデータ５５０は、記録過程を第１マーク５２１によって示される点において中止すると共に記録過程を第２マーク５２２によって示される点において再開し、第３マーク５７１によって示される記憶されたオーディオ／ビジュアル・データ５７０における不連続性に至る、受信されたデータ４００の記録ステップの結果である。
【００５３】
休止過程により、トリガ点５２３は、記録されない。このことは、点５２３において実行を開始するように合図されるアプリケーションが、記憶されたオーディオ／ビジュアル・データ５７０の再生において実行されないということを意味する。この例において、カルーセル５１２は、実行が点５２３において開始するように合図されるアプリケーションである、たった１つのアプリケーションのみを有する。
【００５４】
上述のように、トリガ点５２３が、記録されたオーディオ／ビジュアル・データ５７０において生じないので、トリガ点５２３は、上記アプリケーションを起動しない。このことは、カルーセル５１２の記憶が、記憶されたオーディオ／ビジュアル・データ５７０に関するアプリケーションの整合性に関する重要なデータを有さないので、カルーセル５１２の記憶は必要でないことを意味する。したがって、本発明の更なる実施例に従うと、データ・カルーセル５１２は、記録過程の後に削除される。これは、少ない記憶領域が用いられるので、有利である。
【００５５】
当業者にとって明らかであるように、本発明の範囲から逸脱することなく、説明される好ましい実施例の多くの変更態様は、可能である。
【００５６】
例えば、オーディオ／ビジュアル・データは、ＰＡＬ又はＮＴＳＣのようなアナログ方式において表され得、オーディオ／ビジュアル・データ以外のデータは、文字放送であり得る。またその他のデータは、ＭＰＥＧ−７又はＴＶ−Ａｎｙｔｉｍｅのようなコンテンツ記述データを有し得る。
【００５７】
更に、オーディオ／ビジュアル・データ及び前記オーディオ／ビジュアル・データに関連付けられるオーディオ／ビジュアル・データ以外のデータは、必ずしも多重化される必要はなく、これらのデータは、別々のチャネルを介しても受信され得る。例えば、オーディオ／ビジュアル・データは、ケーブルを介して受信され、一方で他のデータは、ＤＳＬ接続を介するインターネットを経て受信される。この目的のためには、追加の受信器が必要とされるが、デマルチプレクサは、省かれ得る。
【００５８】
好ましい実施例において、本発明に従う装置は、専用ビデオ・レコーダである。本発明に従う装置の更なる実施例は、本発明に従う方法を実行するように着想される、プログラムされた多目的パーソナル・コンピュータでもあり得る。この更なる実施例において、プログラム・コード・メモリ１３０（図１）は、ＣＤ−ＲＯＭ、ＤＶＤ−ＲＯＭ又はハードディスクのような計算機プログラム製品である。
【００５９】
本文書において記述されるように、休止命令は、使用者が休止ボタンを押圧することによって、起動される。しかし、本発明のより更なる実施例において、休止命令は、本発明による装置の実施態様によって与えられる。このことの理由としては、受信されたデータのメタ・データが、オーディオ／ビジュアル・データのコンテンツが変更され、使用者にとって望ましくない（激しい暴力、差別）ことを示すからということも可能である。
【００６０】
好ましい実施例の説明のおいて、アプリケーションの実行を起動するオーディオ／ビジュアル・データのストリームにおけるトリガ点が存在する実施例が、示されてきた。しかし、このことは、トリガ点が、必ずしもオーディオ／ビジュアル・データのストリームにおいて組み込まれるということを意味しない。ストリームは、再生過程においてアプリケーションが実行されるべき点を示す、該ストリームに関するテーブルを付随し得る。記憶されたデータの再生において、前記テーブルは処理され、アプリケーションが実行されるべき点において、アプリケーションは実行するように合図される。
【００６１】
本発明は、以下のように要約され得る。
【００６２】
最新技術のビデオ・レコーダは、休止機能を具備する。この機能は、再生及び録画モードにおいて用いられ得る。録画モードにおいて用いられる場合、何のデータも記録されない。このことは、オーディオ及び／又はビデオのみが記録される場合には問題がない。しかし、双方向性データのような他のデータも同様に記録される場合、このことは、アプリケーションの記録が中断され、このアプリケーションが、オーディオ及び／又はビデオの記録を再開された後に記録されるビデオ小部分において呼び出しされる場合に、問題を生じさせ得る。
【００６３】
本発明の実施例は、記録機能が休止機能を用いて一時停止される場合にオーディオ及び／又はビデオの記録のみを一時停止するように提案する。斯様にして、他のデータの記録は、継続される。
【図面の簡単な説明】
【００６４】
【図１】図１は、本発明に従う装置の実施例を示す。
【図２】図２は、本発明に従う方法の実施例を描くフロー図を示す。
【図３】図３は、本発明に従う方法の実施例を説明する、データのストリームをトリガ／合図点と一緒に示す。
【図４】図４は、本発明に従う方法の更なる実施例を説明する、データのストリームをトリガ／合図点と一緒に示す。
【図５】図５は、本発明に従う方法の別の実施例を説明する、データのストリームをトリガ／合図点と一緒に示す。
【図１】
2006511016.tif 000003
【図２】
2006511016.tif 000004
【図３】
2006511016.tif 000005
【図４】
2006511016.tif 000006
【図５】
2006511016.tif 000007
【国際調査報告】
2006511016.tif 000008
2006511016.tif 000009
2006511016.tif 000010